(57)【要約】【課題】本発明は、装置の軽量化や省スペース化、組立工数の削減化を図るとともに、電磁放射ノイズ対策と騒音対策とを行うことができ、熱対策も行うことができる駆動装置、給送装置及び画像形成装置を提供することを目的とする。【解決する手段】本発明に係る駆動装置の代表的な構成は、ステッピングモータ１１５１と、少なくとも一部を多孔質金属で形成し、ステッピングモータ１１５１を覆うモータカバー１１５４を有することを特徴とする。【選択図】図１
2008256889.tif 000002
【特許請求の範囲】
【請求項１】
駆動源と、
少なくとも一部を多孔質金属で形成し、前記駆動源を覆うカバー部材と、を有することを特徴とする駆動装置。
【請求項２】
前記多孔質金属は、発泡金属であることを特徴とする請求項１に記載の駆動装置。
【請求項３】
前記多孔質金属は、微小な中空部が連続した断面形状であることを特徴とする請求項１又は２に記載の駆動装置。
【請求項４】
表面を凹凸形状としたことを特徴とする請求項１乃至３のいずれか１項に記載の駆動装置。
【請求項５】
前記駆動源と前記カバー部材との間に設けられ、前記駆動源から前記カバー部材へ熱を伝える熱伝達手段と、を有することを特徴とする請求項５に記載の駆動装置。
【請求項６】
前記駆動源を固定する取付板と前記駆動源との間に、振動を吸収するスペーサを有することを特徴とする請求項５又は６に記載の駆動装置。
【請求項７】
記録シートを分離、搬送するローラと、
請求項１乃至６のいずれかに記載の駆動装置と、を有し、
前記駆動装置は、前記ローラに回転駆動力を与えることを特徴とする給送装置。
【請求項８】
請求項１乃至６のいずれかに記載の駆動装置と、
記録シートにトナー像を形成する画像形成手段と、を有することを特徴とする画像形成装置。
【発明の詳細な説明】
【技術分野】
【０００１】
本発明は、記録シートに電子写真方式で画像を形成する画像形成装置、これに用いられる駆動装置、給送装置に関するものである。
【背景技術】
【０００２】
従来、電子写真方式で画像を形成する画像形成装置は、シート収納手段から記録シートを１枚ずつに分離搬送するシート分離搬送手段を有している。シート分離搬送手段はモータによって駆動されている。
【０００３】
モータは動作時に電磁放射ノイズや動作音を発生する。電磁放射ノイズは、電波障害を引き起こしたり、他の電子機器を誤動作させたりする危険性を有している。動作音は、人にとって騒音となり不快感を与えたりする。
【０００４】
このため、電磁放射ノイズや動作音を装置外に出さないような対策がとられる。例えば、電磁放射ノイズ対策としては、金属板で電磁放射ノイズの発生源であるモータを覆う対策がとられている。騒音対策としては、スポンジ状の吸音材を外装カバーの内側に貼る対策がとられている（特許文献１参照）。
【０００５】
【特許文献１】特開平５−２１２９３７号公報
【発明の開示】
【発明が解決しようとする課題】
【０００６】
しかしながら、上記背景技術においては、電磁放射ノイズ対策と騒音対策をそれぞれ別に行っていることによって、部品点数が多くなる。このため、装置の軽量化や省スペース化、組立工数の削減化などにおいて、不利な構成であった。
【０００７】
また、モータは動作時に熱を発生し、これが上昇すると発生トルクが低減するという性質を持っているため、熱を逃がす必要がある。しかし、放射ノイズ対策でモータの周囲を金属板で覆うことは熱を逃がす上で不利な構成であった。
【０００８】
そこで本発明は、装置の軽量化や省スペース化、組立工数の削減化を図るとともに、電磁放射ノイズ対策と騒音対策とを行うことができ、熱対策も行うことができる駆動装置、給送装置及び画像形成装置を提供することを目的とする。
【課題を解決するための手段】
【０００９】
上記課題を解決するために本発明に係る駆動装置の代表的な構成は、駆動源と、少なくとも一部を多孔質金属で形成し、前記駆動源を覆うカバー部材と、を有することを特徴とする。
上記課題を解決するために本発明に係る給送装置の代表的な構成は、記録シートを分離、搬送するローラと、上記駆動装置と、を有し、前記駆動装置は、前記ローラに回転駆動力を与えることを特徴とする。
上記課題を解決するために本発明に係る画像形成装置の代表的な構成は、上記駆動装置と、記録シートにトナー像を形成する画像形成手段と、を有することを特徴とする。
【発明の効果】
【００１０】
本発明によれば、装置の軽量化や省スペース化、組立工数の削減化を図るとともに、電磁放射ノイズ対策と騒音対策とを行うことができ、熱対策も行うことができる。
【発明を実施するための最良の形態】
【００１１】
本発明に係る駆動装置、給送装置及び画像形成装置の実施形態について、図を用いて説明する。
【００１２】
（画像形成装置全体のシステム構成）
まず、画像形成装置全体のシステム構成について概説する。図５は画像形成装置全体の内部構成を表わす正面縦断面図である。図６は画像形成装置全体のシステム構成を表わすブロック図である。図７は画像形成装置全体の外観を表わす外観斜視図である。
【００１３】
図５〜図７に示すように、画像形成装置は、カセット給送部１０００、手差し給送部１３００、画像形成部２０００、画像読取部３０００、制御部４１００、電源部４２００、操作部４３００、電話回線通信部４４００、ネットワーク通信部４５００を有している。
【００１４】
画像形成装置は、画像読取部３０００によって読み取った画像情報を画像形成部２０００によって記録シートへ出力する複写機能を備えている。またネットワークを介してコンピュータ等のスキャナやプリンタとしても機能する。
【００１５】
カセット給送部１０００は、シート状の記録媒体であるところの記録シートを箱状のカセットに数百枚程度積載した状態で収納し、積載状態の記録シートを１枚ずつに分離、搬送する給送装置である。
【００１６】
画像形成部２０００は、カセット給送部１０００から送られてきた記録シートに画像を形成する画像形成手段である。
【００１７】
画像読取部３０００は、原稿等の読取対象物に光を当て、その反射光を電気信号に変換することにより画像情報として読み取りを行う。
【００１８】
制御部４１００は、画像読取部３０００で電気信号に変換された画像情報に画像処理を施したり、画像情報を保存したりしておく手段などを備えている。制御部４１００は、装置各部を電気的に制御する。
【００１９】
電源部４２００は、商用電源等とコンセントなどを介して接続し、装置各部を動作させるために必要な電力を供給する。
【００２０】
操作部４３００は装置の状態を表示する。オペレーターは操作部４３００に入力等をして装置を操作する。
【００２１】
電話回線通信部４４００は、読み取った画像情報を電話回線等を介して他のファクシミリ装置等へ送信したり、他のファクシミリ装置等から送られてきた画像情報等を受信する。
【００２２】
ネットワーク通信部４５００は、コンピュータネットワークと接続し、ネットワーク経由で画像情報や文字情報等の送受信を行ったり、装置をリモートコントロールする。
【００２３】
（画像形成装置全体の内部構成）
次に、画像形成装置全体の内部構成について概説する。
【００２４】
（カセット給送部１０００）
図５において、カセット給送部１０００は、上段カセット給送部１１００、下段カセット給送部１２００を有している。上段カセット給送部１１００、下段カセット給送部１２００は、サイズなどが異なる２種類の記録シートを収納、供給できる。
【００２５】
上段カセット給送部１１００は、カセットオケ１１０６、ピックアップローラ１１２１、フィードローラ１１２２、リタードローラ１１２３、搬送ローラ対（搬送ゴムローラ１１２４と搬送コロ１１２５）を有している。
【００２６】
カセットオケ１１０６は、中板１１０２、後端規制板１１０３、一対のサイド規制板（不図示）などを収納している。カセットオケ１１０６は記録シート１１０１の補給などの際に装置本体から引き出すことができる。
【００２７】
中板１１０２は、記録シート１１０１を載置すると共に記録シート１１０１の量に応じて記録シート１１０１を所定の高さに持ち上げる。後端規制板１１０３は、記録シート１１０１の後端位置を規制する。一対のサイド規制板は、記録シート１１０１の両側端位置を規制する。
【００２８】
ピックアップローラ１１２１は、積載されている最も上の記録シート１１０１に圧接し、記録シートをシート搬送方向（矢印Ａ方向）に送り出す。
【００２９】
フィードローラ１１２２は、ピックアップローラ１１２１によって送り出された記録シートを更にシート搬送方向（矢印Ａ方向）へ送る。
【００３０】
リタードローラ１１２３は、フィードローラ１１２２に対して所定の押圧力で圧接すると共に、記録シート１１０１をシート搬送方向（矢印Ａ方向）へ送るのとは反対の方向へ所定のトルクを発生するように回転駆動力が与えられている。
【００３１】
搬送ゴムローラ１１２４は、一方が回転力を与えられている。搬送コロ１１２５は、搬送ゴムローラ１１２４に圧接して従動回転する。
【００３２】
カセットオケ１１０６内で中板１１０２の上に積載状態で載置されて収納されている記録シート１１０１は、ピックアップローラ１１２１が記録シート１１０１の最も上の記録シートに圧接して回転することによって送り出される。送り出された記録シート１１０１は、リタードローラ１１２３によって１枚に分離される。そして、フィードローラ１１２２によって搬送ゴムローラ１１２４と搬送コロ１１２５から成る搬送ローラ対へ送られ、更に搬送方向下流側の画像形成部２０００に向かって搬送される。
【００３３】
下段カセット給送部１２００については、上段カセット給送部１１００と同じ構成については説明を省略する。上段カセット給送部１１００における搬送コロ１１２５に相当する搬送コロ１２２５は、搬送ゴムローラ１２２４に対して圧接可能なように下扉１５００に支持されている。
【００３４】
下扉１５００は、記録シート１１０１の搬送経路において、搬送コロ１２２５近傍で記録シートの搬送をガイドする。また、下扉１５００は、搬送ローラ１２２４の軸線方向と平行な支点１５００ａを中心にして、搬送ゴムローラ１２２４との圧接を解除する方向へ開閉可能であり、記録シート１１０１のジャム等を処理できる。
【００３５】
（手差し給送部１３００）
手差し給送部１３００は、給送ローラ１３０１、分離パッド１３０２、中板１３０３、載置トレイ１３０４を有している。
【００３６】
手差し給送部１３００は、装置本体の側面に配置され、百枚程度の記録シートを適宜、任意にセットすることができる給送装置である。セットされた記録シートは１枚ずつに分離され、画像形成部２０００に向かって供給される。
【００３７】
給送ローラ１３０１は、図示していない駆動元から所定のタイミングで回転駆動力を伝えられて回転する。分離パッド１３０２は、給送ローラ１３０１に対して所定の圧力で押圧し、高摩擦抵抗力を生じる。中板１３０３は、載置トレイ１３０４上に載置された記録シートのシート搬送方向先端部を給送ローラ１３０１に押圧する。
【００３８】
載置トレイ１３０４は、回動中心１３０４ａを中心として回動可能である。手差し給送部１３００を使用する場合には、載置トレイ１３０４は、図５において実線で表わす位置に保持される。すなわち、載置トレイ１３０４は、シート搬送方向（矢印Ｂ方向）においてシート搬送方向後端側が装置側面から突出し、かつ記録シート載置面のシート搬送方向先端側よりシート搬送方向後端側が水平より若干高い姿勢の位置へ回動して保持される。
【００３９】
手差し給送部１３００を使用しない場合には、載置トレイ１３０４は、図５において破線で表わす位置に収納される。すなわち、載置トレイ１３０４は、記録シート載置面が略垂直の姿勢の位置へ回動して保持されることにより、装置側面からの突出量が小さくなるように収納することができる。
【００４０】
載置トレイ１３０４の上に載置された記録シート１１０１は、先端部が中板１３０３によって給送ローラ１３０１に押圧され、所定のタイミングで給送ローラ１３０１が回転すると、記録シート先端が給送ローラ１３０１と分離パッド１３０２の間に侵入する。
【００４１】
侵入した記録シートが２枚以上の場合は、分離パッド１３０２と接する側の記録シート１１０１は、記録シート１１０１と分離パッド１３０２との間に生じる摩擦力によって進行が阻止される。このように、給送ローラ１３０１と接している記録シート１１０１のみが搬送されることで、記録シートは１枚ずつに分離される。
【００４２】
（画像形成部２０００）
画像形成部２０００は、レジストローラ対（レジストゴムローラ２０１２、レジストハードローラ２０１３）、レジ前センサ２０１１、レーザースキャナ２１００を有している。画像形成部２０００は、感光ドラム２００１、転写ローラ２００２、定着器２２００、排出ローラ２００４、排出トレイ２００５を有している。
【００４３】
レジストゴムローラ２０１２は、画像を形成する位置のシート搬送方向上流側に配置され、記録シート１１０１を画像形成のタイミングに合わせて搬送する。レジストハードローラ２０１３は、ローラ部が金属などの硬度の高い材質で形成されている。
【００４４】
レジ前センサ２０１１は、レジストローラ対２０１２、２０１３の搬送方向上流側に配置され、搬送ローラ対（搬送ゴムローラ１１２４、搬送コロ１１２５）によって送られてきた記録シート先端が通過するタイミングを検知する。
【００４５】
搬送ローラ対１１２４、１１２５によって搬送されてきた記録シート１１０１は、レジ前センサ２０１１によって先端を検知される。そして、検知タイミングに基づいて、画像形成のタイミングに合わせた所定のタイミングでレジストローラ対２０１２、２０１３によって画像形成位置に向けて搬送が行われる。
【００４６】
レーザースキャナ２１００は、６面体ミラー２１０１、結像レンズ２１０２ａ、２１０２ｂ、反射ミラー２１０３ａ、２１０３ｂ、図示していなレーザーダイオードなどの光学系で一体的に構成されている。
【００４７】
レーザースキャナ２１００は、画像データに応じてレーザーダイオードの発光をＯＮ／ＯＦＦさせ、発光されたレーザー光を一定速度で回転する６面体ミラー２１０１に入射させる。入射されたレーザー光は、６面体ミラー２１０１で反射し、６面体ミラー２１０１の前方に配置された結像レンズ２１０２ａ、２１０２ｂ、反射ミラー２１０３ａ、２１０３ｂを経て筒状の感光ドラム２００１の表面に焦点を結ぶ。
【００４８】
感光ドラム２００１に照射されたレーザー光は、一定速度で感光ドラム２００１の表面を感光ドラム２００１の軸線方向であるところの主走査方向に走査する。
【００４９】
レーザー光で主走査方向への走査を連続的に繰り返しながら、感光ドラム２００１をレーザー光による主走査と同期した所定の速度で副走査方向（矢印Ｋ方向）に回転させることによって副走査が行われる。
【００５０】
感光ドラム２００１は光が照射された部位の電位が変化する性質を持ち、上記主走査と副走査によって感光ドラム２００１の面上に静電潜像が形成される。
【００５１】
静電潜像が形成された感光ドラム２００１の表面の静電潜像部に、静電気に吸着する性質と熱を加えることによって溶融する性質をもった微粒子状の有色熱溶融性トナーが吸着することによってトナー像が現像される。
【００５２】
一方、カセット給送部１０００や手差し給送部１３００から記録シート１１０１が感光ドラム２００１と転写ローラ２００２の間に搬送されて挟持される。この際、現像されたトナー像は、記録シート１１０１の表面に静電気的に吸着された状態で転写される。
【００５３】
トナー像を転写された記録シート１１０１は、定着器２２００へ向かって搬送される。定着器２２００に搬送された記録シート１１０１は、熱と圧力を加えられ、トナー像を定着される。トナー像を定着された記録シート１１０１は、排出ローラ２００４によって、画像形成部２０００の上方に配置された排出トレイ２００５の上に排出される。
【００５４】
（画像読取部３０００）
画像読取部３０００は、フラットベッドスキャナ部３１００、自動原稿給送部３２００を有している。
【００５５】
フラットベッドスキャナ部３１００は、原稿台ガラス３１０１、光源３１０２、ＣＣＤ３１０３を有している。フラットベッドスキャナ部３１００は、原稿台ガラス３１０１の上に載置した原稿などの被読み取り対象物を光源３１０２で照らす。そして、反射光をミラーやレンズなどからなる光学系を通して、ＣＣＤ３１０３などの光電変換素子へ走査する。走査された原稿表面の光学的画像情報は、ＣＣＤ３１０３などの光電変換素子によって電気信号に変換され、原稿などの画像情報の読み取りを行う。
【００５６】
自動原稿給送部３２００は、フラットベッドスキャナ部３１００の光学系および光電変換素子部等を用いて、複数枚の原稿を１枚ずつに分離搬送して読み取りを行う。
【００５７】
なお、本実施形態においては、画像読取部３０００と画像形成部２０００とが一体的に構成された画像形成装置について説明した。しかし、画像読取部３０００と画像形成部２０００との関係については、この形態に限定されるものではなく、画像読取部３０００と画像形成部２０００とが独立した形態であってもよい。
【００５８】
（シート搬送駆動部）
画像形成装置のシート搬送駆動部について説明する。図１は本実施形態に係る画像形成装置のシート搬送駆動部の斜視図である。図２はシート搬送駆動部からモータカバーを不可視にした状態の斜視図である。図３はシート搬送駆動部のモータ部の断面図である。
【００５９】
図１〜図３に示すように、シート搬送駆動部は、駆動伝達部１１４０、モータ部１１５０を有している。
【００６０】
駆動伝達部１１４０は、上段カセット給送部１１００における、ピックアップローラ１１２１、フィードローラ１１２２、リタードローラ１１２３、搬送ゴムローラ１１２４などに回転駆動力を伝達する。駆動伝達部１１４０は、複数の歯車などの組み合わせから成る。
【００６１】
モータ部１１５０は、駆動伝達部１１４０を介して上段カセット給送部１１００の各ローラに伝える回転駆動力を発生する駆動装置である。モータ部１１５０は、ステッピングモータ１１５１、モータ取付板１１５２、ネジ１１５３ａ、１１５３ｂ、モータカバー１１５４、スペーサ１１５５、伝熱体１１５６を有する。
【００６２】
ステッピングモータ１１５１は、電力と信号を与えることによって回転力を発生する駆動源であり、回転制御が可能である。モータ取付板１１５２は、ステッピングモータ１１５１を不図示の画像形成装置の枠体に取り付ける。ネジ１１５３ａ、１１５３ｂは、ステッピングモータ１１５１をモータ取付板１１５２に固定する。
【００６３】
モータカバー１１５４は、ステッピングモータ１１５１を覆い、ステッピングモータ１１５１が回転時に発生する電磁放射ノイズや回転音を遮蔽するカバー部材である。
【００６４】
スペーサ１１５５は、ステッピングモータ１１５１とモータ取付板１１５２の間に取り付けられている。スペーサ１１５５は、ステッピングモータ１１５１の回転時に発生する振動を減衰させて、モータ取付板１１５２に伝わる振動を減少させる。
【００６５】
伝熱体１１５６は、ステッピングモータ１１５１の外面とモータカバー１１５４の内面とに接触する熱伝達手段である。伝熱体１１５６は、熱伝導率の高い材質で形成されており、ステッピングモータ１１５１から発生する熱をモータカバー１１５４に伝える。
【００６６】
モータカバー１１５４は、外面をフィン形状１１５４ａにて形成されている。フィン形状１１５４ａにより、モータカバー１１５４の表面積を増やすことができ、より効率的にステッピングモータ１１５１から発生する熱を逃がしている。なお、モータカバー１１５４の外面は、フィン形状１１５４ａに限定されるものではなく、表面積を増やして効率的に熱を逃がすことができればよく、他の凹凸形状であってもよい。
【００６７】
図４はモータカバー１１５４の断面詳細図である。図４に示すように、モータカバー１１５４は、金属組成部１１５４ｂ（図４中白色で示す部分）、中空部１１５４ｃ（図中黒色で示す部分）から構成され、微小な中空部１１５４ｃが連続している。モータカバー１１５４は、多孔質金属の代表例である発泡金属で形成されており、このような断面構造を有している。多孔質金属の中空部１１５４ｃの体積比（気孔率）は、２０％以上９７％以下である。
【００６８】
多孔質金属は、金属であるがゆえに、電磁放射ノイズをシールドする性質を備えている。また、無数の微小中空形状は、音波を熱エネルギーに変換し減衰させる性質をも備えている。このため、ステッピングモータ１１５１から発生する動作音は、モータカバー１１５４に吸収されてモータカバー１１５４の外では動作音が低減する。
【００６９】
また中空形状が連続していることによって通気性がよく、ステッピングモータ１１５１が発生する熱によって暖められた周囲の空気はモータカバー１１５４の外の空気との間で対流を生じる。これにより、ステッピングモータ１１５１の周囲の空気の温度は、ステッピングモータ１１５１を通気性が無いカバー部材で覆った場合に比べて、低くなる。
【００７０】
なお、モータカバー１１５４を形成する材料は、発泡金属に限定されるものではなく多孔質金属であればよい。また、モータカバー１１５４の全ての部分を多孔質金属としなくてもよく、本発明の効果を得られるように少なくとも一部を多孔質金属で形成してあればよい。
【００７１】
なお、スペーサ１１５５も同様の材質で形成されている。これにより、ステッピングモータ１１５１から発生する電磁放射ノイズ、動作音を低減でき、より効率的にステッピングモータ１１５１から発生する熱を逃がすことができる。
【００７２】
また、本実施形態では、モータカバー１１５４、モータ部１１５０は、上段カセット給送部１１００の各ローラに用いたものについて説明したが、本発明はかかる構成に限定されるものではない。例えば、下段カセット給送部１２００にも適用できるし、その他、排出装置、画像読取装置等、駆動源であるモータを使う部分であれば適用することができる。
【図面の簡単な説明】
【００７３】
【図１】本実施形態に係る画像形成装置のシート搬送駆動部の斜視図である。
【図２】シート搬送駆動部からモータカバーを不可視にした状態の斜視図である。
【図３】シート搬送駆動部のモータ部の断面図である。
【図４】モータカバーの断面詳細図である。
【図５】画像形成装置全体の内部構成を表わす正面縦断面図である。
【図６】画像形成装置全体のシステム構成を表わすブロック図である。
【図７】画像形成装置全体の外観を表わす外観斜視図である。
【符号の説明】
【００７４】
１０００…カセット給送部（給送装置）、１１００…上段カセット給送部（給送装置）、１１０１…記録シート、１１０２…中板、１１０３…後端規制板、１１０６…カセットオケ、１１２１…ピックアップローラ、１１２２…フィードローラ、１１２３…リタードローラ、１１２４…搬送ゴムローラ、１１２５…搬送コロ、１１４０…駆動伝達部、１１５０…モータ部（駆動装置）、１１５１…ステッピングモータ（駆動源）、１１５２…モータ取付板、１１５３…ネジ、１１５４…モータカバー（カバー部材）、１１５４ａ…フィン形状、１１５４ｂ…金属組成部、１１５４ｃ…中空部、１１５５…スペーサ、１１５６…伝熱体、１２２４…搬送ゴムローラ、１２２５…搬送コロ、１３００…手差し給送部（給送装置）、１３０１…給送ローラ、１３０２…分離パッド、１３０３…中板、１３０４…載置トレイ、１３０４ａ…回動中心、１５００…下扉、１５００ａ…支点、２０００…画像形成部（画像形成手段）、２００１…感光ドラム、２００２…転写ローラ、２００４…排出ローラ、２００５…排出トレイ、２０１１…レジ前センサ、２０１２…レジストゴムローラ、２０１３…レジストハードローラ、２１００…レーザースキャナ、２１０２…結像レンズ、２１０３…反射ミラー、２２００…定着器、３０００…画像読取部、３１００…フラットベッドスキャナ部、３１０１…原稿台ガラス、３１０２…光源、３１０３…ＣＣＤ、３２００…自動原稿給送部、４１００…制御部、４２００…電源部、４３００…操作部、４４００…電話回線通信部、４５００…ネットワーク通信部
【図１】
2008256889.tif 000003
【図２】
2008256889.tif 000004
【図３】
2008256889.tif 000005
【図４】
2008256889.tif 000006
【図５】
2008256889.tif 000007
【図６】
2008256889.tif 000008
【図７】
2008256889.tif 000009